(57)【要約】      （修正有）【課題】使用に際して作業者が無理な姿勢を強いられることがなく、かつ手指が滑り難い上、簡単な構造で毛髪が巻き込まれるのを防止することが可能なヘアークリップを提供する。【解決手段】上下に配置され、横幅が漸減する一対の棒状体１０それぞれの広幅側における対向面それぞれの両側に一対の突起部１３、１４が形成され、上下に形成された突起部全てを、バネ１７が巻装された一の枢軸１５で軸支し、バネで布勢され、広幅側に形成された上下の把持部１、２を手指で摘まむことにより、狭幅側に形成された上下の毛髪挟持部３、４を自在に開閉するヘアークリップであって、棒状体それぞれは、突起部よりも狭幅側で屈曲し、屈曲角度が少なくとも３０度以上である。【選択図】図１
0003207291.tif 000002
【実用新案登録請求の範囲】
【請求項１】
上下に配置され、横幅が漸減する一対の棒状体それぞれの広幅側における対向面それぞれの両側に一対の突起部が形成され、上下に形成された該突起部全てを、バネが巻装された一の枢軸で軸支し、該バネで布勢され、広幅側に形成された上下の把持部を手指で摘まむことにより、狭幅側に形成された上下の毛髪挟持部を自在に開閉するヘアークリップであって、
前記棒状体それぞれは、前記突起部よりも狭幅側で屈曲し、屈曲角度が少なくとも３０度以上であることを特徴とするヘアークリップ。
【請求項２】
前記把持部それぞれは、互いに異なる角度で反り上がり、手指で摘まむ面に複数の凸起が形成されたことを特徴とする請求項１記載のヘアークリップ。
【請求項３】
前記毛髪挟持部それぞれは、側面がアーチ形をなし、毛髪を挟む面の縁辺に凸起が連続的に形成されたことを特徴とする請求項１記載のヘアークリップ。
【請求項４】
前記一対の突起部それぞれは、前記把持部それぞれの対向面に形成されたものであって、上側に形成された該突起部それぞれは、下側に形成された該突起部それぞれの外側で軸支されることを特徴とする請求項１記載のヘアークリップ。
【請求項５】
前記把持部の反り上がる角度は、一方が少なくとも４０度以上で、他方が少なくとも１０度以上であることを特徴とする請求項２記載のヘアークリップ。
【請求項６】
前記毛髪挟持部それぞれのうち、下側に配置されるものは、上側に配置されるものよりも肉薄で、横断面が凹形をなすことを特徴とする請求項３記載のヘアークリップ。
【考案の詳細な説明】
【技術分野】
【０００１】
本考案は、髪の毛をセット等（カット・ヘアカラー・パーマ等を含む。以下同じ。）するときや化粧をするときに髪の毛を一時的に挟む、あるいはセット等の後等に髪の毛を止めておくために使用するヘアークリップに関するものである。
【背景技術】
【０００２】
従来、髪止め具には、一対の挟持片を端寄りで軸支し、その枢軸に巻ばねを巻装することにより、短片側が布勢されて開き、長片側が閉じるように構成され、短片側を手指で摘まんで強く押すことにより長片側を開き、そこに毛髪を挟むヘアークリップが使用されている。
しかしながら、枢軸を挿通する軸受突片相互間には隙間が生じるため、毛髪を挟む長片側には隙間が生じ、そこに数本の毛髪が巻き込まれ、取り外す際に毛髪が引っ張られ、抜けてしまうといった不具合が生じる場合がある。
そこで、相接する軸受突片のうち、外側に位置する一方の軸受突片に、枢軸よりも他端部側に位置する側縁に沿って、内側に位置する他方の軸受突片の対応側縁に被さる毛髪巻き込み防止部を設けると共に、毛髪巻き込み防止部は、両挟持片を閉じた状態で、少なくとも枢軸の下方にまで延設されてなる一方、他方の軸受突片の下端部に毛髪巻き込み防止部に対応する切欠部が設けられた髪止め具が提案されている（特許文献１参照）。
また、多数のヘアークリップを短時間で使用する美容院では、クリップを親指と人指し指の指先で摘んで開く際に大きな力を必要とするうえ、使用頻度が激しいため、手指が疲労し、指先が滑り易くかつ傷つき易い等の問題がある。
そこで、開閉操作部と毛髪挟着部とを有する一対のクリップ本体と、軸と、蔓巻きばねとで構成されるヘアークリップにおいて、クリップ本体の一方を金属製、他方を樹脂製とし、樹脂製クリップ本体は、指先で摘まむ部分は軟質のものに、毛髪を挟む部分は硬質のものに軟質のものを嵌着させ、指先に馴染み易くかつ滑らず、開閉操作も容易でしかも指先が傷つきにくく、また毛髪を挟む部分は、軟質のものにより滑り止め機能を発揮させたヘアークリップが提案されている（特許文献２参照）。
【０００３】
しかしながら、ヘアークリップ本体が真直ぐなものは、本体の中心線と親指の中心線とが一致するようにしてクリップを把持し、毛髪を挟持する必要があるため、作業をする理美容師が無理な姿勢を強いられ、親指をすべらせてヘアークリップを落としてしまうといったトラブルが生じやすい。
そこで、枢軸のやや後方に本体の屈曲点を設け、直線形状を成した毛髪挟持部に対し、把持部が５°〜２０°角度を持つようにしたヘアークリップが提案されている（特許文献３参照）。
また、ヘアークリップは、軸支された位置の近傍は毛髪を比較的強く挟持できるが、先端側に至るほどバネによる挟持力が弱くなるという特徴がある。このため、バネの布勢力が弱いと挟持された毛髪がヘアークリップから滑落する恐れがある上、均等に毛髪を挟持することが難しいという課題がある。
そこで、上部クリップ部の先端寄りに軸着された揺動部を備え、その揺動部と下部クリップ部との間に毛髪を挟持する構成とし、挟持する支点を中央寄りに移動させることで、これらの課題の解決を図るヘアークリップが提案されている（特許文献４参照）。
【先行技術文献】
【特許文献】
【０００４】
【特許文献１】特許第３３３８００１号公報
【特許文献２】特許第３５８５８５２号公報
【特許文献３】特許第３９７６２８１号公報
【特許文献４】特許第５７２３５７４号公報
【考案の概要】
【考案が解決しようとする課題】
【０００５】
上記事情に鑑み、本考案は、使用に際して作業者が無理な姿勢を強いられることがなく、かつ手指が滑り難い上、簡単な構造で毛髪が巻き込まれるのを防止することが可能なヘアークリップを提供することを目的とする。
【課題を解決するための手段】
【０００６】
本考案のヘアークリップは、上下に配置され、横幅が漸減する一対の棒状体それぞれの広幅側における対向面それぞれの両側に一対の突起部が形成され、上下に形成された該突起部全てを、バネが巻装された一の枢軸で軸支し、該バネで布勢され、広幅側に形成された上下の把持部を手指で摘まむことにより、狭幅側に形成された上下の毛髪挟持部を自在に開閉するヘアークリップであって、上記棒状体それぞれは、上記突起部よりも狭幅側で屈曲し、屈曲角度が少なくとも３０度以上であることを特徴とする。
その場合、上記把持部それぞれは、互いに異なる角度で反り上がり、手指で摘まむ面に複数の凸起が形成されたことが好ましく、特に、上記把持部の反り上がる角度は、一方が少なくとも４０度以上で、他方が少なくとも１０度以上であることがさらに好ましい。
このように、棒状体それぞれが突起部よりも狭幅側で３０度以上屈曲していると、把持部と毛髪挟持部とが３０度以上の屈曲角度を有するので、髪の毛をセット等する作業者が把持部を手指で摘まんだ際に不自然な姿勢を強いられることがない上、毛髪が突起部に巻き込まれてしまう恐れが少ない。特に、屈曲角度を４０度〜５０度にすることが更に好ましいうえ、髪の毛をカットする際の角度の目安ともなる。そして、把持部それぞれが異なる角度で反り上がっていて、手指で摘まむ面に複数の凸起が形成されていれば、わずかに押すだけで毛髪挟持部を大きく開くことができるし、手指が滑る恐れが少ない。さらに、反り上がり角度が、把持部の一方が少なくとも４０度以上で、他方が少なくとも１０度以上あれば、手指が滑りにくい上、疲労も少ない。なお、屈曲させる方向は、作業者が右利きか、左利きかによって選択することができる。
また、上記毛髪挟持部それぞれは、側面がアーチ形をなし、毛髪を挟む面の縁辺に凸起が連続的に形成されたことが好ましく、上記毛髪挟持部それぞれのうち、下側に配置されるものは、上側に配置されるものよりも肉薄で、横断面が凹形をなすことも好ましい態様である。
このように、側面がアーチ形をしていれば、作業の際に頭に馴染み易く、毛髪を挟む縁辺に凸起が連続的に形成されていれば、毛髪の滑落を防止することができる。そして、下側に配置されるものの肉厚を薄くすれば、毛髪に差し込むのが容易であり、断面を凹形にすれば、肉薄でも曲がり強度を強くすることができる。
さらに、上記一対の突起部それぞれは、上記把持部それぞれの対向面に形成されたものであって、上側に形成された該突起部それぞれは、下側に形成された該突起部それぞれの外側で軸支されることが好ましい。
このように、毛髪挟持部が屈曲する位置に隣接する突起部のうち上側に形成されたものが下側に形成されたものの外側で軸支されるように構成すれば、毛髪を巻き込む恐れがさらに少なくなる。
【考案の効果】
【０００７】
本考案のヘアークリップによれば、髪の毛をセットするときなどに、ヘアークリップを手指で摘まむ作業者が不自然な姿勢を強いられることがないうえ、毛髪が巻き込まれる恐れが少ない。また、把持部をわずかに押せば、毛髪挟持部が大きく開くので使い勝手がよいうえ、毛髪挟持部の縁辺に連続的に設けた凸起により毛髪の滑落を防止することもできる。
【図面の簡単な説明】
【０００８】
【図１】図１は、本実施形態のヘアークリップの一例を示す左側面図である。
【図２】図２は、本実施形態のヘアークリップの一例を示す右側面図である。
【図３】図３は、本実施形態のヘアークリップの一例を示す平面図である。
【図４】図４は、本実施形態のヘアークリップの一例を示す底面図である。
【図５】図５は、枢軸の一例を示す図である。
【図６】図６は、枢軸に巻装されるバネの一例の側面を示す図である。
【図７】図７は、上側の棒状体を示す側面図である。
【図８】図８は、上側の棒状体を示す平面図である。
【図９】図９は、上側の棒状体を示す底面図である。
【図１０】図１０は、下側の棒状体を示す側面図である。
【図１１】図１１は、下側の棒状体を示す平面図である。
【図１２】図１２は、下側の棒状体を示す底面図である。
【考案を実施するための形態】
【０００９】
以下に、本考案のヘアークリップの実施形態について図に基づいて説明する。
図１〜図４は、本実施形態のヘアークリップの一例を示す図であり、
図１及び図２は、左右の側面図、図３は平面図、図４は底面図である。
図１〜図４に示すヘアークリップは、上下に配置され、長手方向に横幅が徐々に狭くなる一対の棒状体１０と、その棒状体１０それぞれの広幅側における対向面の両側に形成された一対の突起部１３、１４それぞれと、上側の一対の突起部１３及び下側の一対の突起部１４全てを軸支する一本の枢軸１５と、枢軸１５に巻装されたバネ１７とを備えている。
枢軸１５に巻装されたバネ１７は、上下の棒状体１１，１２それぞれの広幅側を離間する方向に布勢するので、手指で摘まむ上側の把持部１と下側の把持部２とが形成される。
また、上下の把持部１，２を手指で摘まむと上下の棒状体１１，１２それぞれの狭幅側が開閉するので、毛髪を挟む上側の毛髪挟持部３と下側の毛髪挟持部４とが形成される。
一対の棒状体１０は、何れも長さが１０センチメートル程度の樹脂製部材であり、上側棒状体１１は、広幅側の底面両側に形成された一対の突起部１３それぞれの狭幅側の際で時計回りの方向に屈曲している。また、下側棒状体１２は、広幅側の上面両側に形成された一対の突起部１４それぞれよりもわずかに狭幅側に寄った位置で時計回りの方向に屈曲している。本実施形態においては、屈曲する角度αは、上側の棒状体１１、下側の棒状体１２ともに４０度〜４５度に設定されている。
【００１０】
従って、上下の把持部１，２と上下の毛髪挟持部３，４とは、屈曲角度αが概ね４０度〜４５度で屈曲しており、作業者が毛髪を挟む際に、上下の把持部１，２を摘まむ手指及び腕は、毛髪に対して概ね４５度〜５５度となり、無理な姿勢を強いられることがない。また、上下の把持部１，２は、毛髪の方向に対して概ね４５度〜５５度をなすので、毛髪をカットする際の角度の目安となり、切りそろえるのが容易である。
また、上下の把持部１，２は、手で摘まみ易いように異なる角度で反り上がっている。本実施形態においては、反り上がり角度β、γは、上側の把持部１が４０度〜５０度、下側の把持部２が１０度〜２０度に設定されている。
従って、上下の把持部１，２を手指で摘まむ際に毛髪を乱す恐れが少ないうえ、少し押すだけで、上下の毛髪挟持部３，４を大きく開くことができる。
さらに、上下の把持部１，２それぞれを手で摘まむ面には、多数の凸起１６が形成されているので、手指が油等で濡れていても上下の把持部１，２から手指が滑り難い。
また、上下の毛髪挟持部３，４は、側面がアーチ形をなし、毛髪を挟む面それぞれの縁辺には、毛髪の滑落を防ぐ凸起１８が連続的に形成されている。
従って、毛髪を挟む際に差し込んだ上下の毛髪挟持部３，４が頭に馴染みやすい上、毛髪が滑落するのを防止できる。
なお、上側の毛髪挟持部３の中央部分には、細長い開口２０が設けられている。
ここで、本実施形態の上下の棒状体１１，１２それぞれは、一対の突起部１３，１４よりも狭幅側で屈曲し、屈曲角度αが４０度〜４５度に設定されているが、屈曲角度αは必ずしもこの角度に限定する必要はなく、３０度以上であればよい。なお、本実施形態においては、作業者が右利きであることを前提に棒様体を時計回り方向に屈曲させているが、屈曲させる方向は必ずしも時計回り方向である必要はなく、何れの方向でもよいので、左利きの場合には反時計回り方向に屈曲させることで対応可能である。
また、上下の把持部１，２が反り上がる角度β、γは、上の把持部１が４０度〜５０度、下の把持部２が１０度〜２０度に設定されているが、必ずしもこれらの角度に限定する必要はなく、上の把持部１が３０度以上、下の把持部２が１０度以上に設定されていればよい。
【００１１】
次に、本実施形態のヘアークリップの構成部品について説明する。
図５は、枢軸の一例を示す図である。
図５に一例を示す枢軸１５は、一方の端面に太径の頭部１５aがある。枢軸１５を全ての突起部１３，１４に捜通した後、他方の端面１５ｂを潰すことにより枢軸１５を外側の突起部１３に固定することができる。ただし、枢軸１５の固定方法は、必ずしもこの方法に限定されない。
図６は、枢軸に巻装されるバネの一例の側面を示す図である。
図６に一例を示すバネ１７は、巻き数が５以上、アーム長が１６ｍｍ程度のトーションばねを用い、アームそれぞれが上下の把持部１，２それぞれを布勢するが、仕様については必ずしもここで示したものに限定されない。
【００１２】
図７〜図９は、上側の棒状体を示す図であり、図７は側面図、図８は平面図、図９は底面図である。
図７〜図９に示す上側の棒状体１１は、側面がアーチ形をなし、広幅側の両側端それぞれに、略半円形の一対の突起部１３が下向きに形成されている。そして、一対の突起部１３を含む広幅側の際付近は、反り上がり角度βが４０度〜５０度で反り上がり、手指で摘まむ把持部１が形成されている。また、把持部１を手で摘まむ面（棒状体の上面側）には、滑り止めとなる複数の凸起１６が形成されている。
一対の突起部１３の中央部には、枢軸１５を捜通する孔が設けてある。そして、一対の突起部１３の狭幅側の際において、上側の棒状体１１は水平方向に屈曲し、屈曲角度αは時計回り方向に４０度〜４５度に設定されている。
上側の棒状体１１が屈曲した位置よりも狭幅側の底面における両縁辺には、先端まで凸起１８が連続的に形成され、上側の毛髪挟持部３が形成されている。なお、上側の毛髪挟持部３の側面はアーチ形をなしている。
【００１３】
図１０〜図１２は、下側の棒状体を示す図であり、図１０は側面図、図１１は平面図、図１２は底面図である。
図１０〜図１３に示す下側の棒状体１２は、側面がアーチ形をなし、広幅側の両側縁に一対の突起部１４が上向きに形成されている。
そして、一対の突起部１４を含む狭幅側の際付近は、反り上がり角度γが１０度〜２０度で反り上がり、手指で摘まむ把持部２が形成されている。また、把持部２を手で摘まむ面（棒状体の底面側）には、滑り止めとなる複数の凸起１６が形成されている。
一対の突起部１４の中央部には、枢軸１５を捜通する孔が設けてある。そして、下側の棒状体１２は、一対の突起部１４よりも狭幅側寄りの位置で水平方向に屈曲し、屈曲角度αは、上側棒状体１１と同様に、時計回り方向に４０度〜４５度に設定されている。
下側の棒状体１２が屈曲した位置よりも狭幅側の底面の両縁辺には、先端まで凸起１８が連続的に形成され、下側の毛髪挟持部４が形成されている。なお、下側の毛髪挟持部４は、側面がアーチ形をなし、上側の毛髪挟持部３に較べて厚みが薄くなっており、曲げ強度を確保するため、長手方向の中央部分が凹んでおり、横断面が凹形をなしている。
【符号の説明】
【００１４】
１    上側の把持部
２    下側の把持部
３    上側の毛髪挟持部
４    下側の毛髪挟持部
１０  一対の棒状体
１１  上側の棒状体  
１２  下側の棒状体
１３、１４  一対の突起部
１５  枢軸
１５a 頭部
１５ｂ他方の端面
１６  凸起
１７  バネ
１８  凸起
２０  細長い開口
α  屈曲角度
β、γ  反り上がり角度    
【図１】
0003207291.tif 000003
【図２】
0003207291.tif 000004
【図３】
0003207291.tif 000005
【図４】
0003207291.tif 000006
【図５】
0003207291.tif 000007
【図６】
0003207291.tif 000008
【図７】
0003207291.tif 000009
【図８】
0003207291.tif 000010
【図９】
0003207291.tif 000011
【図１０】
0003207291.tif 000012
【図１１】
0003207291.tif 000013
【図１２】
0003207291.tif 000014